(57)【要約】【課題】  画像共有サービスに登録、公開された画像を用いて、画像登録者以外のアルバム作成者がアルバムを作成する場合に、アルバム作成者が誰であるかを画像登録者に知られずに、アルバム作成者に対してアルバムの作成に必要な画質の画像データをアルバムの作成に十分な枚数提供する。【解決手段】  システム管理サーバ１２は、（１）アルバム作成者端末１６からアルバム作成リクエストを受け付けるとその旨を画像登録者に伝達する。（２）アルバム作成者は、アルバム作成用画像データのダウンロードし、アルバム作成ツール１６０を用いてアルバムを作成する。また、システム管理サーバ１２は、（３）アルバム作成者端末１６からのアルバム作成完了通知を画像登録者に伝達し、アルバム作成者端末１６から完成したアルバムデータのアップロードを受け付けて図示せぬプリント受付サーバに対してプリント発注処理を行う。【選択図】      図１
2008242778.tif 000002
【特許請求の範囲】
【請求項１】
画像共有サービスに会員登録した画像登録者の画像データ及び高解像度のアルバム作成用画像データを格納する画像格納手段と、
前記画像データの公開範囲を設定する公開範囲設定手段と、
前記画像共有サービスの会員からの要求に応じて、前記画像格納手段に格納された画像データを、前記画像データの公開範囲の設定に従って公開する画像公開手段と、
アルバム作成者から、特定の画像登録者が登録した画像を用いてアルバムを作成する旨のアルバム作成リクエストを受け付けるリクエスト受付手段と、
前記アルバム作成リクエストを前記特定の画像登録者に伝達する手段であって、前記アルバム作成リクエストから前記アルバム作成者を特定する情報を削除して伝達するリクエスト伝達手段と、
前記特定の画像登録者によってアルバム作成リクエストの承認通知を受信した場合に、前記アルバム作成者がアルバム作成用画像データをダウンロードできるように前記画像データの公開範囲を更新する公開範囲更新手段と、
を備えることを特徴とするアルバム作成システム。
【請求項２】
前記アルバム作成者から前記アルバムの作成完了通知又は作成中止通知を受け付ける受付手段を更に備え、
前記公開範囲更新手段は、前記作成完了通知又は作成中止通知を受け付けた場合に、前記アルバム作成者がアルバム作成用画像データをダウンロードできないように前記画像データの公開範囲を更新することを特徴とする請求項１記載のアルバム作成システム。
【請求項３】
前記アルバムを作成するアルバム作成期限を設定する期限設定手段を更に備え、
前記公開範囲更新手段は、前記アルバム作成期限を経過した場合に、前記アルバム作成者がアルバム作成用画像データをダウンロードできないように前記画像データの公開範囲を更新することを特徴とする請求項１又は２記載のアルバム作成システム。
【請求項４】
画像登録者のプロフィール情報を格納するプロフィール情報格納手段と、
前記特定の画像登録者によってアルバム作成リクエストの承認通知を受信した場合に、前記アルバム作成者が前記特定の画像登録者のプロフィール情報を閲覧できるようにプロフィール情報の公開範囲を設定するプロフィール情報公開範囲設定手段とを更に備え、
前記期限設定手段は、前記特定の画像登録者のプロフィール情報中の日付の中の特定の日付の指定を前記アルバム作成者から受け付けて、前記指定された日付に基づいて前記アルバム作成期限を設定することを特徴とする請求項３記載のアルバム作成システム。
【請求項５】
画像共有サービスに会員登録した画像登録者の画像データ及び高解像度のアルバム作成用画像データを格納する画像格納工程と、
前記画像データの公開範囲を設定する公開範囲設定工程と、
前記画像共有サービスの会員からの要求に応じて、前記画像格納工程に格納された画像データを、前記画像データの公開範囲の設定に従って公開する画像公開工程と、
アルバム作成者から、特定の画像登録者が登録した画像を用いてアルバムを作成する旨のアルバム作成リクエストを受け付けるリクエスト受付工程と、
前記アルバム作成リクエストを前記特定の画像登録者に伝達するときに、前記アルバム作成リクエストから前記アルバム作成者を特定する情報を削除して伝達するリクエスト伝達工程と、
前記特定の画像登録者によってアルバム作成リクエストの承認通知を受信した場合に、前記アルバム作成者がアルバム作成用画像データをダウンロードできるように前記画像データの公開範囲を更新する公開範囲更新工程と、
を備えることを特徴とするアルバム作成方法。
【請求項６】
前記アルバム作成者から前記アルバムの作成完了通知又は作成中止通知を受け付ける受付工程と、
前記作成完了通知又は作成中止通知を受け付けた場合に、前記アルバム作成者がアルバム作成用画像データをダウンロードできないように前記画像データの公開範囲を更新する工程と、
を更に備えることを特徴とする請求項５記載のアルバム作成方法。
【請求項７】
前記アルバムを作成するアルバム作成期限を設定する期限設定工程と、
前記アルバム作成期限を経過した場合に、前記アルバム作成者がアルバム作成用画像データをダウンロードできないように前記画像データの公開範囲を更新する工程と、
を更に備えることを特徴とする請求項５又は６記載のアルバム作成方法。
【請求項８】
画像登録者のプロフィール情報を格納するプロフィール情報格納工程と、
前記特定の画像登録者によってアルバム作成リクエストの承認通知を受信した場合に、前記アルバム作成者が前記特定の画像登録者のプロフィール情報を閲覧できるようにプロフィール情報の公開範囲を設定するプロフィール情報公開範囲設定工程と、
前記特定の画像登録者のプロフィール情報中の日付の中の特定の日付の指定を前記アルバム作成者から受け付けて、前記指定された日付に基づいて前記アルバム作成期限を設定する工程と、
を更に備えることを特徴とする請求項７記載のアルバム作成方法。
【発明の詳細な説明】
【技術分野】
【０００１】
本発明はアルバム作成システム及びアルバム作成方法に係り、特にネットワーク上の画像データを用いてアルバムを作成するアルバム作成システム及びアルバム作成方法に関する。
【背景技術】
【０００２】
特許文献１には、画像蓄積装置並びにこれを利用したカレンダーなどハードコピーの作成装置及び方法が開示されている。
【特許文献１】特開２００１−２７３４２７号公報
【発明の開示】
【発明が解決しようとする課題】
【０００３】
近年、インターネットの発達により、ウェブログ（ブログ）、ソーシャル・ネットワーキング・サービス（ＳＮＳ）、画像共有サービス等を利用して、自らが撮影した画像をウェブ上に公開することが一般に普及している。また、ウェブ上に公開された画像を閲覧したユーザが画像を編集、再構成してアルバムを作成、出版できるようになっている。例えば、親（画像登録者）が画像共有サービスに登録、公開した孫の写真を閲覧した祖父母が、その孫の写真を用いてアルバムを作成し、印刷物として親にプレゼントしたり、画像登録者がかわいがっているペットの写真を閲覧したペット仲間が、そのペットの写真を用いてアルバムを作成し、印刷物として画像登録者にプレゼントすることが行われている。
【０００４】
しかしながら、インターネットの画像共有サービスではデータベースの容量制限から画像の画素数や公開できる画像の枚数が制約されている場合が多く、アルバム作成に必要な画像の量と質を確保しにくいという欠点がある。
【０００５】
また、インターネットの画像共有サービスに登録、公開された画像を用いてアルバムを編集する場合、画像登録者にアルバムの作成を通知し、了解を得た上で、アルバムを作成する旨を登録して画像を収集する必要がある。このため、プレゼントするアルバムを作成している事実が予め本人に知られてしまい、せっかくプレゼントしても画像登録者側の「驚き」が失われるという課題があった。
【０００６】
ここで、画像登録者に知られずにアルバムの作成を可能にするために、予め画像を不特定多数にダウンロード可能としておくことも考えられるが、如何に画像をウェブ上に公開することが一般的となっているとはいえ、本人が写っているプライベートな画像が不特定多数の人に閲覧されるのは好ましくない。このため、プライベート画像は不特定多数に公開せず、閲覧可能な範囲を制限することが通常である。
【０００７】
本発明はこのような事情に鑑みてなされたもので、画像共有サービスに登録、公開された画像を用いて、画像登録者以外のアルバム作成者がアルバムを作成する場合に、アルバム作成者が誰であるかを画像登録者に知られずに、アルバム作成者に対してアルバムの作成に必要な画質の画像データをアルバムの作成に十分な枚数提供することを目的とする。
【課題を解決するための手段】
【０００８】
上記課題を解決するために、本願発明１に係るアルバム作成システムは、画像共有サービスに会員登録した画像登録者の画像データ及び高解像度のアルバム作成用画像データを格納する画像格納手段と、前記画像データの公開範囲を設定する公開範囲設定手段と、前記画像共有サービスの会員からの要求に応じて、前記画像格納手段に格納された画像データを、前記画像データの公開範囲の設定に従って公開する画像公開手段と、アルバム作成者から、特定の画像登録者が登録した画像を用いてアルバムを作成する旨のアルバム作成リクエストを受け付けるリクエスト受付手段と、前記アルバム作成リクエストを前記特定の画像登録者に伝達する手段であって、前記アルバム作成リクエストから前記アルバム作成者を特定する情報を削除して伝達するリクエスト伝達手段と、前記特定の画像登録者によってアルバム作成リクエストの承認通知を受信した場合に、前記アルバム作成者がアルバム作成用画像データをダウンロードできるように前記画像データの公開範囲を更新する公開範囲更新手段とを備えることを特徴とする。
【０００９】
本願発明１によれば、画像共有サービスに登録、公開された画像を用いて、画像登録者以外のアルバム作成者がアルバムを作成する場合に、アルバム作成者が誰であるかを画像登録者に知られずに、アルバム作成者に対してアルバムの作成に必要な画質の画像データをアルバムの作成に十分な枚数提供することができる。
【００１０】
本願発明２は、本願発明１のアルバム作成システムにおいて、前記アルバム作成者から前記アルバムの作成完了通知又は作成中止通知を受け付ける受付手段を更に備え、前記公開範囲更新手段は、前記作成完了通知又は作成中止通知を受け付けた場合に、前記アルバム作成者がアルバム作成用画像データをダウンロードできないように前記画像データの公開範囲を更新することを特徴とする。
【００１１】
本願発明２によれば、アルバムの作成完了通知又は作成中止通知に応じて、アルバム作成のためのアルバム作成用画像データのダウンロードの許可を取り消すことができる。
【００１２】
本願発明３は、本願発明１又は２のアルバム作成システムにおいて、前記アルバムを作成するアルバム作成期限を設定する期限設定手段を更に備え、前記公開範囲更新手段は、前記アルバム作成期限を経過した場合に、前記アルバム作成者がアルバム作成用画像データをダウンロードできないように前記画像データの公開範囲を更新することを特徴とする。
【００１３】
本願発明３によれば、アルバム作成期限に応じて、アルバム作成のためのアルバム作成用画像データのダウンロードの許可を取り消すことができる。
【００１４】
本願発明４は、本願発明３のアルバム作成システムにおいて、画像登録者のプロフィール情報を格納するプロフィール情報格納手段と、前記特定の画像登録者によってアルバム作成リクエストの承認通知を受信した場合に、前記アルバム作成者が前記特定の画像登録者のプロフィール情報を閲覧できるようにプロフィール情報の公開範囲を設定するプロフィール情報公開範囲設定手段とを更に備え、前記期限設定手段は、前記特定の画像登録者のプロフィール情報中の日付の中の特定の日付の指定を前記アルバム作成者から受け付けて、前記指定された日付に基づいて前記アルバム作成期限を設定することを特徴とする。
【００１５】
本願発明４によれば、アルバム作成者は、画像登録者のプロフィール情報に含まれる記念日等に合わせて、適切な時期にアルバムをプレゼントすることができるようにアルバム作成期限を設定することができる。
【００１６】
本願発明５に係るアルバム作成方法は、画像共有サービスに会員登録した画像登録者の画像データ及び高解像度のアルバム作成用画像データを格納する画像格納工程と、前記画像データの公開範囲を設定する公開範囲設定工程と、前記画像共有サービスの会員からの要求に応じて、前記画像格納工程に格納された画像データを、前記画像データの公開範囲の設定に従って公開する画像公開工程と、アルバム作成者から、特定の画像登録者が登録した画像を用いてアルバムを作成する旨のアルバム作成リクエストを受け付けるリクエスト受付工程と、前記アルバム作成リクエストを前記特定の画像登録者に伝達するときに、前記アルバム作成リクエストから前記アルバム作成者を特定する情報を削除して伝達するリクエスト伝達工程と、前記特定の画像登録者によってアルバム作成リクエストの承認通知を受信した場合に、前記アルバム作成者がアルバム作成用画像データをダウンロードできるように前記画像データの公開範囲を更新する公開範囲更新工程とを備えることを特徴とする。
【００１７】
本願発明６は、本願発明５のアルバム作成方法において、前記アルバム作成者から前記アルバムの作成完了通知又は作成中止通知を受け付ける受付工程と、前記作成完了通知又は作成中止通知を受け付けた場合に、前記アルバム作成者がアルバム作成用画像データをダウンロードできないように前記画像データの公開範囲を更新する工程とを更に備えることを特徴とする。
【００１８】
本願発明７は、本願発明５又は６のアルバム作成方法において、前記アルバムを作成するアルバム作成期限を設定する期限設定工程と、前記アルバム作成期限を経過した場合に、前記アルバム作成者がアルバム作成用画像データをダウンロードできないように前記画像データの公開範囲を更新する工程とを更に備えることを特徴とする。
【００１９】
本願発明８は、本願発明７のアルバム作成方法において、画像登録者のプロフィール情報を格納するプロフィール情報格納工程と、前記特定の画像登録者によってアルバム作成リクエストの承認通知を受信した場合に、前記アルバム作成者が前記特定の画像登録者のプロフィール情報を閲覧できるようにプロフィール情報の公開範囲を設定するプロフィール情報公開範囲設定工程と、前記特定の画像登録者のプロフィール情報中の日付の中の特定の日付の指定を前記アルバム作成者から受け付けて、前記指定された日付に基づいて前記アルバム作成期限を設定する工程とを更に備えることを特徴とする。
【発明の効果】
【００２０】
本発明によれば、画像共有サービスに登録、公開された画像を用いて、画像登録者以外のアルバム作成者がアルバムを作成する場合に、アルバム作成者が誰であるかを画像登録者に知られずに、アルバム作成者に対してアルバムの作成に必要な画質の画像データをアルバムの作成に十分な枚数提供することができる。
【発明を実施するための最良の形態】
【００２１】
以下、添付図面に従って本発明に係るアルバム作成システム及びアルバム作成方法の好ましい実施の形態について説明する。
【００２２】
［アルバム作成システムの構成］
図１は、本発明の一実施形態に係るアルバム作成システムの主要構成を示すブロック図である。本実施形態に係るアルバム作成システム１０は、登録制の画像共有サービスに登録した会員（画像登録者）の端末から、画像を含むコンテンツのアップロード、登録を受け付けるとともに、上記会員の端末に対して当該コンテンツを配信する。本実施形態に係るアルバム作成システム１０は、アルバム作成者端末１６からのアルバムの作成リクエストに応じて、画像登録者が公開した画像を用いてアルバムを作成し、画像登録者にプレゼントするためのシステムである。
【００２３】
図１に示すように、本実施形態に係るアルバム作成システム１０は、システム管理サーバ１２及び会員情報管理サーバ１４を備えている。システム管理サーバ１２、会員情報管理サーバ１４及びアルバム作成者端末１６は、ネットワークＮＷを介して相互に通信可能に接続されている。会員情報管理サーバ１４は、画像データベース（画像ＤＢ）１４０及びプロフィールデータベース（プロフィールＤＢ）１４２を備えている。
【００２４】
システム管理サーバ１２は、会員から画像を含むコンテンツのアップロードを受け付けて画像ＤＢ１４０に蓄積する。そして、システム管理サーバ１２は、他の会員からの要求に応じて上記コンテンツを配信する。システム管理サーバ１２は、コンテンツのアップロードの受け付け時及びコンテンツの配信時に会員の認証を行う。会員認証は、各会員に固有の会員ＩＤ（例えば、登録名、電子メールアドレス）及びパスワード等により行われ、上記画像共有サービスに登録していない非会員は、コンテンツのアップロード及び閲覧が一部又は全面的に制限されるようになっている。
【００２５】
画像ＤＢ１４０には、各会員によって登録された画像データが格納される。画像ＤＢ１４０に格納された画像データは、ネットワークＮＷを介して画像共有サービスの会員の間で共有される。
【００２６】
画像閲覧制御リスト１４０Ａには、会員が画像ＤＢ１４０に登録した画像データを公開する範囲の設定が格納される。この画像閲覧制御リスト１４０Ａは、画像データとともに画像ＤＢ１４０に格納される。本実施形態の画像共有サービスの会員は、自分が画像ＤＢ１４０に登録した画像データを公開する範囲を設定可能である。画像データの公開範囲は、例えば、「インターネット全体に公開する（誰でも（会員以外でも）閲覧及びダウンロードが可能）」、「画像共有サービスの会員のみに公開する（会員なら誰でも閲覧及びダウンロードが可能）」、「会員のうち特定の友達だけに公開する」、「会員のうち特定の友達以外に公開する」又は「公開しない（自分だけが閲覧及びダウンロードが可能）」のいずれかに設定される。また、画像データを公開する場合に、ダウンロードを許可する画素数の範囲等も画像閲覧制御リスト１４０Ａに登録される。これにより、アルバム作成の目的の場合には、単なる表示と異なる画素数（高解像度版）の画像データ（以下、アルバム作成用画像データという）をダウンロード可能にする。
【００２７】
プロフィールＤＢ１４２には、会員のプロフィール情報（例えば、「誕生日」、「結婚記念日」、「星座」等のスケジュール情報）及び会員間の友達関係の設定が格納される。プロフィール閲覧制御リスト１４２Ａには、プロフィールＤＢ１４２に格納されているプロフィール情報を公開する範囲の設定が格納される。
【００２８】
アルバム作成者端末１６は、アルバム作成ツール１６０がインストールされており、画像共有サービスの会員（画像登録者）が公開している画像データを用いてアルバム作成者がアルバムを作成するための端末である。アルバム作成ツール１６０は、例えば、アルバム作成リクエストに応じてシステム管理サーバ１２から提供（ダウンロード許可）される。画像登録者が公開している画像データを用いてアルバムを作成する場合には、その旨を通知するアルバム作成リクエストがアルバム作成者端末１６からシステム管理サーバ１２に送信される。そして、画像登録者によってアルバム作成リクエストが承認された場合に、アルバム作成者端末１６によるネットワークＮＷを介して画像ＤＢ１４０にアクセスして画像データのダウンロードが許可される。
【００２９】
システム管理サーバ１２は、（１）アルバム作成者端末１６からアルバム作成リクエストを受け付けると、アルバムの作成対象の画像登録者のアルバム作成用の画像データの画像閲覧制御リスト１４０Ａが参照し、アルバム作成リクエストを送信したアルバム作成者に対してアルバム作成用画像データのダウンロードが許可されていない場合に、アルバム作成者の正体を秘匿して（アルバム作成リクエストからアルバム作成者を特定するための情報（例えば、登録名、会員ＩＤ、電子メールアドレス）を削除して）、アルバム作成のリクエストがあることを画像登録者に通知する。ここで、システム管理サーバ１２は、少なくともアルバムが完成するまではアルバム作成者の名前を秘匿する。
【００３０】
システム管理サーバ１２は、画像登録者によってアルバム作成リクエストが承認された場合に、画像閲覧制御リスト１４０Ａを更新して、アルバム作成者に公開されている画像データの高解像度版のアルバム作成用画像データをダウンロード可能にする。また、システム管理サーバ１２は、プロフィール閲覧制御リスト１４２Ａを更新して、アルバム作成者に対して、画像登録者のプロフィール情報を閲覧可能にする。これにより、アルバム作成者は、画像登録者が公開している画像データの中からアルバムに使用する画像データを選択し、その高解像度版のアルバム作成用画像データをダウンロードすることができる。
【００３１】
アルバム作成者にアルバム作成用画像データのダウンロード及びプロフィール情報の閲覧を許可する期限（アルバム作成期限）は、画像登録者のプロフィール情報（例えば、「誕生日」、「結婚記念日」、「星座」等の情報）に基づいてアルバム作成者が設定することができる。例えば、画像登録者の所定の記念日当日又はその数日前等にアルバム作成期限を設定することにより、画像登録者にとって適切な時期にアルバムをプレゼントすることができる。なお、システム管理サーバ１２又は画像登録者側でアルバム作成期間を予め設定可能にしてもよい。
【００３２】
システム管理サーバ１２は、（２）アルバム作成者からアルバム作成用画像データのダウンロード要求を受け付けると、画像ＤＢ１４０からアルバム作成用画像データを取得して、アルバム作成者端末１６に送信する。また、システム管理サーバ１２は、（３）アルバム作成者端末１６からアルバム作成完了通知を受け取ると、画像登録者に対して伝達する。また、システム管理サーバ１２は、アルバム作成者端末１６から完成したアルバムデータのアップロードを受け付けて図示せぬプリント受付サーバに対してプリント発注処理を行う。また、システム管理サーバ１２は、アルバム作成完了通知を受け取ると、画像閲覧制御リスト１４０Ａ及びプロフィール閲覧制御リスト１４２Ａを更新してアルバム作成の開始前の状態（アルバム作成者がアルバム作成用画像データをダウンロードできない状態）に戻す。
【００３３】
また、システム管理サーバ１２は、アルバム作成者端末１６からアルバムの作成を中止する旨の通知を受け取ると、この通知を画像登録者に対して伝達するとともに、画像閲覧制御リスト１４０Ａ及びプロフィール閲覧制御リスト１４２Ａを更新してアルバム作成の開始前の状態（アルバム作成者がアルバム作成用画像データをダウンロードできない状態）に戻す。
【００３４】
［アルバム作成処理］
図２は、本実施形態に係るアルバム作成処理の流れを示すタイミングチャートである。まず、アルバム作成者端末１６からシステム管理サーバ１２にアルバム作成リクエストが送信される（ステップＳ１０）。
【００３５】
次に、システム管理サーバ１２は、アルバム作成リクエストが受信すると（ステップＳ１２）、アルバム作成者を秘匿して画像登録者の登録メールアドレス宛にアルバム作成リクエストを伝達する（ステップＳ１４）。
【００３６】
次に、画像登録者端末１８において、アルバム作成リクエストが受信（ステップＳ１６）、承認されると（ステップＳ１８）、システム管理サーバ１２は、画像閲覧制御リスト１４０Ａを更新して、画像登録者が公開している画像データのアルバム作成用画像データのダウンロードをアルバム作成者に許可するとともに、プロフィール閲覧制御リスト１４２Ａを更新して、画像登録者のプロフィール情報の閲覧をアルバム作成者に許可する（ステップＳ２０）。また、システム管理サーバ１２は、アルバム作成リクエストが承認された旨を、例えば、電子メール又はログイン画面を介してアルバム作成者端末１６に伝達する（ステップＳ２２）。
【００３７】
次に、アルバム作成者端末１６からアルバム作成用画像データのダウンロード要求を受け付けると（ステップＳ２４）、システム管理サーバ１２は、アルバム作成用画像データをアルバム作成者端末１６に送信する（ステップＳ２６）。
【００３８】
次に、アルバム作成者端末１６において、アルバムの作成が完了し（ステップＳ２８）、アルバム作成完了通知が送信されると（ステップＳ３０）、システム管理サーバ１２は、アルバム作成完了通知を、電子メール又はログイン画面を介して画像登録者端末１８に伝達する（ステップＳ３２）。また、システム管理サーバ１２は、画像閲覧制御リスト１４０Ａ及びプロフィール閲覧制御リスト１４２Ａをアルバム作成の開始前の状態に戻す（ステップＳ３４）。そして、システム管理サーバ１２は、アルバム作成者端末１６から完成したアルバムのデータのアップロードを受け付けて、アルバムのプリント発注処理を行う（ステップＳ３６）。
【００３９】
本実施形態によれば、画像共有サービスに登録、公開された画像を用いて、画像登録者以外のアルバム作成者がアルバムを作成する場合に、アルバム作成者が誰であるかを画像登録者に知られずに、アルバム作成者に対してアルバムの作成に必要な画質の画像データをアルバムの作成に十分な枚数提供することができる。
【００４０】
なお、本実施形態では、アルバム作成ツール１６０をアルバム作成者端末１６にダウンロードして、アルバム作成者端末１６側でアルバムの作成処理を行うようにしたが、例えば、システム管理サーバ１２上にアルバム作成者の作業領域を設けて、アルバムの作成を行えるようにしてもよい。
【図面の簡単な説明】
【００４１】
【図１】本発明の一実施形態に係るアルバム作成システムの主要構成を示すブロック図
【図２】アルバム作成処理の流れを示すタイミングチャート
【符号の説明】
【００４２】
１０…アルバム作成システム、１２…システム管理サーバ、１４…会員情報管理サーバ、１４０…画像データベース、１４０Ａ…画像閲覧制御リスト、１４２…プロフィールデータベース、１４２Ａ…プロフィール閲覧制御リスト、１６…アルバム作成者端末、１６０…アルバム作成ツール、１８…画像登録者端末
【図１】
2008242778.tif 000003
【図２】
2008242778.tif 000004